(57)【要約】【課題】             本考案は、タイプレートの左右滑動を防止するために締結ボルトの強力な締め付けによる摩擦力によらずに、車輪からの横圧を受け止める手段を提供し、保守点検を少なくするようにするものである。【解決手段】          軌道スラブ３０上にレール１０をばね部材５を介して固定するタイプレート１を、軌道スラブの埋込栓３１に対して平面位置調整可能に締結ボルト３２で固定するようにしたレール締結装置において、タイプレート１に締結ボルト３２を中心に偏心回転可能なカム部材４０を設け、カム部材４０を介してタイプレート１を平面調整可能に固定してなるレール締結装置。【選択図】              図２
0003122689.tif 000002
【実用新案登録請求の範囲】
【請求項１】
軌道スラブ上にレールをばね部材を介して固定するためのタイプレートを、軌道スラブの埋込栓に対して平面位置調整可能に締結ボルトで固定するようにしたレール締結装置において、タイプレートに締結ボルトを中心に偏心回転可能なカム部材を設け、カム部材を介してタイプレートを平面調整可能に固定してなるレール締結装置。
【請求項２】
請求項１に記載のレール締結装置において、タイプレートにカム部材の嵌合するカム受け孔を設けてなるレール締結装置。
【請求項３】
請求項２に記載のレール締結装置において、カム部材の外周カム形状部を、締結ボルトの軸心に直交する断面においてほぼ円形になるように設けてなるレール締結装置。
【請求項４】
請求項３に記載のレール締結装置において、タイプレートのカム受け孔を、カム部材のカム形状部が密着して嵌合するように、締結ボルトの軸心に直交する断面においてほぼ円形になるように設けてなるレール締結装置。
【請求項５】
請求項２乃至４のいずれかに記載のレール締結装置において、締結ボルトによりカム部材に加えた締め付け力がカム受け孔を介してタイプレートに及ぶようにカム部材とカム受け孔を係合せしめてなるレール締結装置。
【請求項６】
請求項５に記載のレール締結装置において、カム部材とカム受け孔が互いに円錐台形状の密着面で密着するように設けてあるレール締結装置。
【請求項７】
請求項１乃至６のいずれかに記載のレール締結装置において、埋込栓の筒体内部が雌ねじ部を含めて合成樹脂からなるレール締結装置。
【請求項８】
請求項７に記載のレール締結装置において、埋込栓が同一合成樹脂の一体成形品からなるレール締結装置。
【請求項９】
請求項１乃至８のいずれかに記載のレール締結装置において、レールとタイプレートの間に可変パッドを挿入してなるレール締結装置。
【請求項１０】
請求項９に記載のレール締結装置において、レールの下に敷設した軌道パッドとタイプレートの間に可変パッドを挿入してなるレール締結装置。
【請求項１１】
請求項１乃至１０のいずれかに記載のレール締結装置において、タイプレートと軌道スラブの間に可変パッドを挿入してなるレール締結装置。
【請求項１２】
請求項１１に記載のレール締結装置において、可変パッドがタイプレートの底面と側面を囲むように軌道スラブ上に載置した平箱形状の型枠と充填剤からなり、軌道スラブ上に載置した型枠に充填剤を注いでタイプレートと軌道スラブとの隙間を埋めると共にレール平面の高低を整正するようにしてなるレール締結装置。
【請求項１３】
請求項１１又は１２に記載のレール締結装置において、可変パッドの型枠に締結ボルトの挿通孔枠を設けてなるレール締結装置。
【考案の詳細な説明】
【技術分野】
【０００１】
本考案は、鉄道軌道における軌道スラブ上にレールをばね部材を介して固定するためのタイプレートを、軌道スラブの埋込栓に対して平面位置調整可能に締結ボルトで固定するようにしたタイプレート式レール締結装置に関する。
【背景技術】
【０００２】
近年、列車の高速化、保守の省力化に対応してスラブ軌道方式の軌道構造が多用されている。
従来のタイプレート式レール締結装置では、レール下面とタイプレートとの間に、軌道パッドが介装され、タイプレートに装架されたボルト及びナットによって、レール締結用板ばねを介してレールがタイプレートに締結するのが基本である。
また、タイプレートと軌道スラブとは、軌道スラブに埋設された合成樹脂製の埋込栓内の鋼製雌ねじ部にタイプレートを貫通して締結ボルトを螺着して、タイプレートを軌道スラブに締結するのが基本である（特許文献１参照）。
【０００３】
前記従来のタイプレート式レール締結構造において、予め固定的に敷設された軌道スラブのレール敷設面上に、タイプレートを介してレール面を調整されたレールを固定する場合、レール面と軌道スラブのレール敷設面の高さ方向の面調整は、レール下面とタイプレートとの間、又は、タイプレートと軌道スラブとの間に、袋体に合成樹脂を注入してなるレール面調整用の可変パッドを介装して行うと共に、レール方向と軌道スラブの埋込栓との平面位置調整は、タイプレートにレール方向に直交する方向に設けた締結ボルト貫通用の長孔により行っていた。（特許文献１参照）。
【０００４】
即ち、タイプレート式スラブ軌道におけるタイプレートの役割は、レールを軌道スラブに締着させ、レール間隔の保持を行い、列車の走行時に車輪がレールに与える荷重や振動、主として上下方向力、左右方向力、レール軸方向力などに抵抗して、これらの力を軌道スラブ以下の路盤などに伝達するものである。
また、その性能は、左右方向最大荷重４９ｋＮ（５ｔｏｎ）に対して、変位量０の抗力を有すると共に、軌道スラブ敷設時に生じた残留通り狂いを連続的に調整することができる構造であることが要求されている。
【０００５】
従って、前述の左右水平力４９ｋＮ（５ｔｏｎ）に対して、変位量０にするためには相当の水平抗力（摩擦力）が必要であり、これまでは、タイプレート下に挿入する絶縁板の底面のザラつき（粗面）と締結ボルトを３４，３００Ｎーｃｍという大きなトルクで締め付けることのより得ていた。
【特許文献１】実用新案登録第２５３４９２６号公報
【考案の開示】
【考案が解決しようとする課題】
【０００６】
日本の鉄道では、一般に信号電流をレールに流して信号の現示を得ているため、左右のレールを電気的に絶縁する必要があり、タイプレート下に絶縁板を介装し、また、埋込栓は絶縁性の高い合成樹脂で成形している。合成樹脂はその性質上、大きな力を長時間載荷し続けると塑性変形する。現行の締結装置で締結ボルトを３４，３００Ｎーｃｍという大きなトルクで締め付け、約４９ｋＮ（５ｔｏｎ）の軸力を導入して左右方向の抗力を得ているが、埋込栓がクリープ及び応力緩和現象を生じると締結ボルトに導入した軸力が次第に減少することとなる。
【０００７】
軸力が減少すれば当然のことながら水平加重４９ｋＮ（５ｔｏｎ）でタイプレートの変位０という条件は損なわれ、軌間・通りの狂いを生じる恐れがあり、保守点検をして締結ボルトの再締め付けや交換をする必要があった。
そこで、本考案は、タイプレートの左右滑動を防止するために締結ボルトの強力な締め付けによる摩擦力によらずに、車輪からの横圧を受け止める手段を提供し、保守点検を少なくするようにするものである。
【課題を解決するための手段】
【０００８】
本考案は、請求項１に記載のように、軌道スラブ上にレールをばね部材を介して固定するためのタイプレートを、軌道スラブの埋込栓に対して平面位置調整可能に締結ボルトで固定するようにしたレール締結装置において、タイプレートに締結ボルトを中心に偏心回転可能なカム部材を設け、カム部材を介してタイプレートを平面調整可能に固定してなるレール締結装置を提供するものである。
【０００９】
また、本考案は、請求項２に記載のように、請求項１に記載のレール締結装置において、タイプレートにカム部材の嵌合するカム受け孔を設けてなるレール締結装置を提供するものである。
また、本考案は、請求項３に記載のように、請求項２に記載のレール締結装置において、カム部材の外周カム形状部を、締結ボルトの軸心に直交する断面においてほぼ円形になるように設けてなるレール締結装置を提供するものである。
【００１０】
また、本考案は、請求項４に記載のように、請求項３に記載のレール締結装置において、タイプレートのカム受け孔を、カム部材のカム形状部が密着して嵌合するように、締結ボルトの軸心に直交する断面においてほぼ円形になるように設けてなるレール締結装置を提供するものである。
【００１１】
また、本考案は、請求項５に記載のように、請求項２乃至４のいずれかに記載のレール締結装置において、締結ボルトによりカム部材に加えた締め付け力がカム受け孔を介してタイプレートに及ぶようにカム部材とカム受け孔を係合せしめてなるレール締結装置を提供するものである。
【００１２】
また、本考案は、請求項６に記載のように、請求項５に記載のレール締結装置において、カム部材とカム受け孔が互いに円錐台形状の密着面で密着するように設けてあるレール締結装置を提供するものである。
また、本考案は、請求項７に記載のように、請求項１乃至６のいずれかに記載のレール締結装置において、埋込栓の筒体内部が雌ねじ部を含めて合成樹脂からなるレール締結装置を提供するものである。
【００１３】
また、本考案は、請求項８に記載のように、請求項７に記載のレール締結装置において、埋込栓が合成樹脂の一体成形品からなるレール締結装置を提供するものである。
また、本考案は、請求項９に記載のように、請求項１乃至８のいずれかに記載のレール締結装置において、レールとタイプレートの間に可変パッドを挿入してなるレール締結装置を提供するものである。
【００１４】
また、本考案は、請求項１０に記載のように、請求項９に記載のレール締結装置において、レールの下に敷設した軌道パッドとタイプレートの間に可変パッドを挿入してなるレール締結装置を提供するものである。
また、本考案は、請求項１１に記載のように、請求項１乃至１０のいずれかに記載のレール締結装置において、タイプレートと軌道スラブの間に可変パッドを挿入してなるレール締結装置を提供するものである。
【００１５】
また、本考案は、請求項１２に記載のように、請求項１１に記載のレール締結装置において、可変パッドがタイプレートの底面と側面を囲むように軌道スラブ上に載置した平箱形状の型枠と充填剤からなり、軌道スラブ上に載置した型枠に充填剤を注いでタイプレートと軌道スラブとの隙間を埋めると共にレール平面の高低を整合するようにしてなるレール締結装置を提供するものである。
また、本考案は、請求項１３に記載のように、請求項１１又は１２に記載のレール締結装置において、可変パッドの型枠に締結ボルトの挿通孔枠を設けてなるレール締結装置を提供するものである。
【考案の効果】
【００１６】
本考案に係るレール締結装置によれば、請求項１に記載のように、軌道スラブ上にレールをばね部材を介して固定するためのタイプレートを、軌道スラブの埋込栓に対して平面位置調整可能に締結ボルトで固定するようにしたレール締結装置において、タイプレートに締結ボルトを中心に偏心回転可能なカム部材を設け、カム部材を介してタイプレートを平面調整可能に固定してなる構成を有することにより、車輪からの横圧をカム部材の偏心回転抵抗力で強力に受け止めることができ、締結ボルトの強力な締め付けによる摩擦力だけによらずにタイプレートの左右滑動を防止し、軌間・通りの狂いを阻止することができる効果があり、また、締結ボルトの締め付け力を軽減することができるから、埋込栓のクリープ及び応力緩和現象を生じ難いようにすることができると共に、埋込栓の鋼製雌ねじ部を無くして合成樹脂だけの一体成形した埋込栓を採用することができる効果がある。
【００１７】
また、本考案は、請求項２に記載のように、請求項１に記載のレール締結装置において、タイプレートにカム部材の嵌合するカム受け孔を設けてなる構成を有することにより、カム受け孔に嵌合するカム部材を締結ボルトで埋込栓に固定することによって、タイプレートを平面調整可能に固定することができると共に、車輪からの横圧を強力に受け止めることができる効果がある。
【００１８】
また、本考案は、請求項３に記載のように、請求項２に記載のレール締結装置において、カム部材の外周カム形状部を、締結ボルトの軸心に直交する断面においてほぼ円形になるように設けてなる構成を有することにより、偏心したカム部材を容易に切削加工することができる効果がある。
【００１９】
また、本考案は、請求項４に記載のように、請求項３に記載のレール締結装置において、タイプレートのカム受け孔を、カム部材のカム形状部が密着して嵌合するように、締結ボルトの軸心に直交する断面においてほぼ円形になるように設けてなる構成を有することにより、円形のタイプレートのカム受け孔と、カム部材のカム形状部とが密着して嵌合するから、その間に強力な摩擦抵抗力を得ることができる効果がある。
【００２０】
また、本考案は、請求項５に記載のように、請求項２乃至４のいずれかに記載のレール締結装置において、締結ボルトによりカム部材に加えた締め付け力がカム受け孔を介してタイプレートに及ぶようにカム部材とカム受け孔を係合せしめてなる構成を有することにより、締結ボルトを埋込栓に締め付けることによってカム部材と共にタイプレートを締め付け固定することができる効果がある。
【００２１】
また、本考案は、請求項６に記載のように、請求項５に記載のレール締結装置において、カム部材とカム受け孔が互いに円錐台形状の密着面で密着するように設けてある構成を有することにより、円錐台形状の楔作用効果によって締結ボルトを埋込栓に締め付けることによって、カム部材と共にタイプレートを強力に締め付け固定することができると共に、カム部材とカム受け孔が互いに密着してガタを生じ難くする効果がある。
【００２２】
また、本考案は、請求項７に記載のように、請求項１乃至６のいずれかに記載のレール締結装置において、埋込栓の筒体内部が雌ねじ部を含めて合成樹脂からなる構成を有することにより、埋込栓から従来の鋼製雌ねじ部を除去し、絶縁性のある埋込栓の構造を軽量で簡素にすることができる効果がある。
また、本考案は、請求項８に記載のように、請求項７に記載のレール締結装置において、埋込栓が合成樹脂の一体成形品からなる構成を有することにより、絶縁性のある埋込栓を容易に提供することができる効果がある。
【００２３】
また、本考案は、請求項９に記載のように、請求項１乃至８のいずれかに記載のレール締結装置において、レールとタイプレートの間に可変パッドを挿入してなる構成を有することにより、レールとタイプレートの間に設けた可変パッドによりレール面の高さ方向の調整を行うことができる効果がある。
【００２４】
また、本考案は、請求項１０に記載のように、請求項９に記載のレール締結装置において、レールの下に敷設した軌道パッドとタイプレートの間に可変パッドを挿入してなる構成を有することにより、軌道パッドとタイプレートの間に設けた可変パッドによりレール面の高さ方向の調整を行うことができる効果がある。
【００２５】
また、本考案は、請求項１１に記載のように、請求項１乃至１０のいずれかに記載のレール締結装置において、タイプレートと軌道スラブの間に可変パッドを挿入してなる構成を有することにより、タイプレートと軌道スラブの間に設けた可変パッドによりレール面の高さ方向の調整を行うことができると共に、タイプレートと軌道スラブの間に絶縁板を設けることなく絶縁性を得ることができる効果がある。
【００２６】
また、本考案は、請求項１２に記載のように、請求項１１に記載のレール締結装置において、可変パッドがタイプレートの底面と側面を囲むように軌道スラブ上に載置した平箱形状の型枠と充填剤からなり、軌道スラブ上に載置した型枠に充填剤を注いでタイプレートと軌道スラブとの隙間を埋めると共にレール平面の高低を整正するようにしてなる構成を有することにより、袋体に合成樹脂を充填するタイプの可変パッドに対してタイプレートを保持する力が強く横圧耐久性に優れ、施工を簡単、確実にすることができる効果がある。
【００２７】
また、本考案は、請求項１３に記載のように、請求項１１又は１２に記載のレール締結装置において、可変パッドに締結ボルトの挿通孔枠を設けてなる構成を有することにより、可変パッドに合成樹脂を充填してから締結ボルトによりタイプレートを固定することができる効果がある。
【考案を実施するための最良の形態】
【００２８】
以下、図示する実施例により本考案を説明する。
【実施例１】
【００２９】
図１及び図２に記載のタイプレート式のレール締結装置において、１はタイプレートで、レール１０とタイプレート１の間には、レール下面に軌道パッド２、軌道パッド２とタイプレート１の間に可変パッド２０が設けてある。
可変パッド２０は、袋体に合成樹脂を注入してレール１０とタイプレート１の間に生じた隙間を埋め、レール面の高さ調整をすることができるように構成してある。
【００３０】
可変パッド２０は、図４及び図５に記載のように、タイプレート１と軌道スラブ３０の間に設けることもでき、その場合は、レール１０とタイプレート１の間には、軌道パッド２だけを設けることとなる。
【００３１】
レール１０とタイプレート１は、タイプレート１０に装架されたボルト３及びナット４によって、レール締結用の板ばね５を介して締結されている。なお、図１において、レール１０の左側のボルト３、ナット４及び板ばね５は省略してあり、板ばね５の取付部５ａ及びボルト３の取付部３ａが示してある。
タイプレート１と軌道スラブ３０とは、軌道スラブ３０の埋込栓３１に螺着する締結ボルト３２によって固定される。締結ボルト３２は、上から六角頭部３４、軸部３５及び雄ねじ部を具備し、図では省略したが、下端部の雄ねじ部が埋込栓３１内の下端部に設けた雌ねじ部に螺合することによって、タイプレート１を軌道スラブ３０上に固定することができる。
【００３２】
実施例の場合、タイプレート１と軌道スラブ３０との間には、絶縁板２１が設けてあり、絶縁板２１には締結ボルト３１の軸部３５が挿通する挿通孔が設けてある。なお、タイプレート１と軌道スラブ３０の間に可変パッド２０を設ける場合は、可変パッド２０の絶縁性によりレール１０とタイプレート１の間に絶縁板２１を設ける必要はないこととなる。
【００３３】
ここで、本考案に係るレール締結装置によれば、従来、タイプレート１にレール１０の通り方向に直交する平面方向に長軸を有する長孔を設けてあった位置に、埋込栓３１に螺合した締結ボルト３２の軸部３５を中心に偏心回転可能なカム部材４０を設けてあり、カム部材４０を介してタイプレート１を平面調整可能に固定してなる構成を有する。
【００３４】
実施例の場合、カム部材４０の外周カム形状部は、締結ボルト３２の軸心に直交する断面において円形になるように設けてあると共に、タイプレート１には、カム部材４０の外周カム形状部が密着して嵌合するように、カム受け孔４５を、同様に締結ボルト３２の軸心に直交する断面において円形になるように設けてある。
この構成により、円形のタイプレート１のカム受け孔４５と、カム部材４０のカム形状部とが密着して嵌合するから、締結ボルト３２で埋込栓３１に固定したカム部材４０とタイプレート１との間に強力な抵抗力を得ることができる。
【００３５】
また、円形断面のカム部材４０には、締結ボルト３２の軸部３５が嵌合するカム軸孔４３がカム部材４０の中心Ｏから所定の偏心距離Ｌだけ離れた位置にその軸心ｏが来るよう穿設してあり、カム部材４０が締結ボルト３２を中心に一周する間に、タイプレート１が距離２Ｌだけ偏心移動するように構成してある。
従って、カム部材４０の回転に伴ってタイプレート１をプラスマイナス１０ｍｍ（合計最大２０ｍｍ）移動させるには、偏心距離Ｌを１０ｍｍに設定すればよいこととなる。
【００３６】
図３に記載の実施例において、カム部材４０の直径Ｒが４０ｍｍに対して、カム軸孔４３の直径ｒは２０ｍｍ、偏心距離Ｌが５ｍｍに設定してあり、図１又は図４において、カム軸孔４３の偏心方向がレール１０の通り方向に直交する方向に設定して設けてある。  なお、カーブなどではレールに加わる最大横圧方向は決まっているから、レールに直交する方向にカムの偏心方向がなるべく一致するようにカム部材を固定することにより、レール１０の横圧に対して強力なカム抵抗力を得ることができる。
【００３７】
また、実施例の場合、カム部材４０の形状を上面４１の直径Ｒがほぼ２０ｍｍに対して下面４２の直径をほぼ１８ｍｍ程度の円錐台形状に成形し、同様の形状に設けたカム受け孔４５が互いに円錐台形状の密着面で密着するように設けてある。
この構成を有することにより、円錐台形状の楔作用効果によって締結ボルト３２を埋込栓３１に締め付けることによって、カム部材４０と共にタイプレート１を強力に締め付け固定することができると共に、カム部材とカム受け孔が互いに密着してガタを生じ難くすることとなる。
【００３８】
この実施例の構成において、レールに対するタイプレートの左右方向の狂いは、締結ボルト３２に対するカム部材４０の偏心回転により行うことができ、また、レールからタイプレートにかかる水平力は、カム部材４０を介して締結ボルト３２に伝達されるボルトの抗剪断力により受け止められる。
なお、図３の実施例において、カム部材４０の厚さｔは約２０ｍｍで、タイプレート１の厚さとほぼ一致して設けてある。
また、埋込栓３１の周囲に設けたスパイラル鉄線３６は、埋込栓３１の軌道スラブ３０への埋込強度を補強するものである。
【実施例２】
【００３９】
図４及び図５に記載の実施例２は、可変パッド２０を、タイプレート１と軌道スラブ３０の間に設けたものであり、第１図及び第２図の実施例において、レール１０とタイプレート１の間に設けた可変パッド２０を不要とし、レール１０とタイプレート１の間には軌道パッド２だけを設けた構成である。
図４及び図５の実施例２では、可変パッド２０は、袋体に合成樹脂を注入してタイプレート１と軌道スラブ３０の間に生じた隙間を埋める形式とは異なる。
【００４０】
即ち、可変パッド２０がタイプレート１の底面と側面を囲むように軌道スラブ３０上に載置した平箱形状の型枠と充填剤からなり、図６に記載のように軌道スラブ１上に載置した平箱体２２に充填剤２３を注いでタイプレート１と軌道スラブ３０との隙間を埋めるようにしてなる構成を有する。
このことにより、平箱体２２の中に合成樹脂の充填材２３を介してタイプレート１を一体に保持するから、施工を簡単、確実にすることができる効果がある。
【００４１】
この実施例２の可変パッド２０の型枠は、図６に記載のように、締結ボルト３２の挿通孔枠２４を、タイプレート１のカム受け孔に嵌合する位置に設けて、箱形体２２内に合成樹脂を充填してから締結ボルト３２によりタイプレート１を固定することができるように構成してある。
また、実施例２において、カム部材４０等の構成は、図１乃至図３に記載の実施例１と同一であり、図４及び図５において同一の部材には、図１と図２と同じ符号を付して、その説明は、既に実施例１でしたものと重複するため、ここでは省略する。
【実施例３】
【００４２】
以下に実験結果による本考案の作用効果を説明する。
従来の横方向長軸４０ｍｍの長孔式のレール締結装置では、締め付けトルク３５０Ｎ・ｍでないと、横圧４９ｋＮに対する変位１ｍｍ以内に耐えられないが、本考案装置における上記実施例のカム式の締結装置では、図７又は図８に記載のように、締め付けトルクが１００Ｎ・ｍ以上であれば、横圧４９ｋＮが加わっても１ｍｍ以上変位することはない。
締め付けトルク３５０Ｎ・ｍで実験装置設置直後の１回目の横圧が加わった場合が、変位０．９５ｍｍで最大となったが、２回目以降は、締め付けトルクが１００Ｎ・ｍでも変位は０．２３ｍｍであり、横圧４９ｋＮに十分に対抗することができる。
【実施例４】
【００４３】
次に、内部に鋼製雌ねじ部も鉄筋も入っていないＰＰＳ材料のみで成形された合成樹脂製埋込栓を用いて行ったクリープ試験結果を説明する。
従来の鋼製ねじ部及び鉄筋入りの埋込栓の締め付けトルク３５０Ｎ・ｍにおける４８０時間後の締め付けボルトのゆがみの変化に対する保持率は９４％である。
締結ボルトの締め付けトルクを２００Ｎ・ｍ、１８０Ｎ・ｍ、１７０Ｎ・ｍ、１５０Ｎ・ｍ、１２０Ｎ・ｍ、１００Ｎ・ｍ、７０Ｎ・ｍ、５０Ｎ・ｍとした場合のボルトのゆがみ（軸力）の変化を４８０時間と１８０時間で計測した結果を表１に示す。
【００４４】
【表１】
0003122689.tif 000003
【００４５】
その結果、ＰＰＳ材料のみからなる埋込栓の４８０時間後の軸保持力は、最も良いケースで９０％であり、従来の鋼製ねじ部及び鉄筋入りの埋込栓の９４％には及ばない。
しかし、前述の横圧試験の結果から、締め付けトルクは最小５０Ｎ・ｍでも横圧に耐えられることから、締め付けトルクを２００Ｎ・ｍにすれば、４８０時間後には１６３Ｎ・ｍまで低下はするが、横圧には充分耐えられると判断でき、ＰＰＳ材料のみからなる埋込栓が使用可能と判断される。
【図面の簡単な説明】
【００４６】
【図１】本考案装置の一実施例の要部を示す概略平面図。
【図２】その実施例の要部を一部縦断して示す概略正面図。
【図３】その実施例の要部を平面図と正面図を組合わせて示す概略説明図。
【図４】本考案装置の他の実施例の要部を示す概略平面図。
【図５】その実施例の要部を一部縦断して示す概略正面図。
【図６】その実施例の要部を取り出して示す概略斜視図。
【図７】本考案装置の一実験結果を示す説明図。
【図８】本考案装置の他の実験結果を示す説明図。
【符号の説明】
【００４７】
１      タイプレート
２      軌道パッド
３      ボルト
４      ナット
５      板ばね
１０    レール
２０    可変パッド
２１    絶縁板
２２    箱形体
２３    充填剤
２４    挿通孔枠
３０    軌道スラブ
３１    埋込栓
３２    締結ボルト
３４    六角頭部
３５    軸部
３６    スパイラル鉄線
４０    カム部材
４１    上面
４２    下面
４３    カム軸孔
４５    カム受け孔
【図１】
0003122689.tif 000004
【図２】
0003122689.tif 000005
【図３】
0003122689.tif 000006
【図４】
0003122689.tif 000007
【図５】
0003122689.tif 000008
【図６】
0003122689.tif 000009
【図７】
0003122689.tif 000010
【図８】
0003122689.tif 000011